(57)【要約】      （修正有）【課題】尿検査を行うことができる小便器用カートリッジを提供する。【解決手段】小便器の排水口に着脱可能に設置される小便器用カートリッジ３であって、排水口に対応する開口３１２を有する内部空間３１３を画成しているハウジング３１と、内部空間３１３に配置されていて、開口３１２から内部空間３１３に流入した尿液に対して該尿液中における特定の成分の有無を検出する検出モジュール３３とを具える。【選択図】図２
0003213092.tif 000002
【実用新案登録請求の範囲】
【請求項１】
小便器の排水口に着脱可能に設置される小便器用カートリッジであって、
前記排水口に対応する開口を有する内部空間を画成しているハウジングと、
前記内部空間に配置されていて、前記開口から前記内部空間に流入した尿液に対して該尿液中における特定の成分の有無を検出する検出モジュールと、を具えることを特徴とする、小便器用カートリッジ。
【請求項２】
前記ハウジングの前記開口に設けられていて、前記排水口から流れて来る尿液を前記内部空間に流入させる導液孔が開けられているガイドプレートを更に具える、請求項１に記載の小便器用カートリッジ。
【請求項３】
前記ガイドプレートは、尿液による動圧を受けた際に前記ハウジングに対して移動可能に設けられていて、
前記検出モジュールは、
前記内部空間に配置されていて、前記導液孔から流入した尿液に対して該尿液中における特定の成分の有無を検出する検出チップと、
前記ガイドプレートが尿液による動圧を受けて変位した量を計測しその変位量に応じて前記検出チップの稼動を制御する制御チップと、を有する、請求項２に記載の小便器用カートリッジ。
【請求項４】
前記内部空間に配置されていて、前記導液孔から流入した尿液を前記検出モジュールの前記検出チップに導く導液路を画成しているフィルターユニットを更に具える、請求項３に記載の小便器用カートリッジ。
【請求項５】
前記検出モジュールは、前記ガイドプレートに配置されていて前記ガイドプレートが変位する際の加速度を計測する加速度センサーを更に有し、前記制御チップは、前記変位量及び前記加速度に応じて前記検出チップの稼動を制御する、請求項４に記載の小便器用カートリッジ。
【請求項６】
前記ハウジングには、前記内部空間に流入して前記検出チップを通った尿液を外部に流し出す出液孔が形成されており、
前記フィルターユニットは、前記内部空間において前記検出チップよりも下流側であって前記出液孔よりも上流側に配置されていて尿液に対して生分解を行う生分解サブユニットを有する、請求項４または請求項５に記載の小便器用カートリッジ。
【請求項７】
前記導液孔は前記ガイドプレートの中央に開けられており、
前記フィルターユニットは、前記導液孔よりも下流側で前記導液孔の周縁にあてがわれるように設置されている目皿部材を更に有する、請求項４〜６のいずれか一項に記載の小便器用カートリッジ。
【請求項８】
前記検出モジュールは、前記検出チップによる検出結果を無線で外部に送信する送信チップを更に有する、請求項３〜７のいずれか一項に記載の小便器用カートリッジ。
【請求項９】
前記検出チップは、前記尿液中における特定の薬物及び薬物代謝産物を検出するものである、請求項３に記載の小便器用カートリッジ。
【請求項１０】
排水口を有する小便器本体と、
前記排水口に着脱可能に設けられている請求項１〜９のいずれか一項に記載の小便器用カートリッジと、を具えることを特徴とする小便器。
【考案の詳細な説明】
【技術分野】
【０００１】
本考案は、小便器に関し、詳しくは小便器の排水口に設けられる小便器用カートリッジに関する。
【背景技術】
【０００２】
特に青少年における薬物の有害な使用が社会問題となっているが、このような薬物使用を検出する手段として尿中薬物検査がある。しかしながら、従来の尿中薬物検査は、薬物使用の疑いを前提として特定の対象に行う上に、尿液の採取のため当該対象の協力が必要となるので、検査の実施にも困難がある。
【考案の概要】
【考案が解決しようとする課題】
【０００３】
そこで、本考案の考案者は、通常の小便器の排水口、特に使用のたびに水を流す必要が無いいわゆる無水トイレの小便器の排水口に設置できて、小便器の利用者が通常に排尿を行うだけで尿検査を行うことができる小便器用カートリッジがあれば、従来の問題を解決できることに思い至り、これを本考案が解決しようとする課題とした。
【課題を解決するための手段】
【０００４】
上記課題を解決するための手段として、本考案は、小便器の排水口に着脱可能に設置される小便器用カートリッジであって、前記排水口に対応する開口を有する内部空間を画成しているハウジングと、前記ハウジングの内部空間に配置されていて、前記開口から前記内部空間に流入した尿液に対して該尿液中における特定の成分の有無を検出する検出モジュールと、を具えることを特徴とする小便器用カートリッジを提供する。
更に、本考案は、上記課題を解決するための手段として、排水口を有する小便器本体と、  前記排水口に着脱可能に設けられている上記小便器用カートリッジとを具えることを特徴とする小便器をも提供する。
【考案の効果】
【０００５】
上記手段によれば、小便器の排水口に設置するだけで、検出モジュールによって、カートリッジの内部空間に流入した尿液に対して該尿液中における特定の成分の有無を検出できるので、利用者が通常通りに該小便器で排尿するだけで、当該利用者の薬物摂取の有無、さらにはその他の生理状況を測定することが可能となる。
【図面の簡単な説明】
【０００６】
【図１】本考案に係る小便器を示す分解斜視図である。
【図２】本考案に係る小便器用カートリッジの一実施形態を示す断面図である。
【図３】本考案に係る小便器用カートリッジの一実施形態の変化例を示す断面図である。
【考案を実施するための形態】
【０００７】
以下、図面を参照しながら本考案の具体的な実施形態を説明する。
図１及び図２を参照に、本考案に係る小便器用カートリッジ及びこれを備える小便器の一実施形態を説明する。図１は、小便器１の全体を示す分解斜視図であり、図２は、小便器用カートリッジ３を示す断面図である。
小便器１は、図１に示されるように、排水口２１を有する小便器本体２と、排水口２１に着脱可能に設けられている小便器用カートリッジ３とを具える。
小便器本体２としては、本考案において特に制限はなく、例えば一般に公衆トイレに設置されるストール型や壁掛け型の陶器製小便器を用いることができる。
小便器用カートリッジ３は、小便器本体２の排水口２１に着脱可能に嵌め入れられるように形成され且つ排水口２１に対応する開口３１２を有する内部空間３１３を画成しているハウジング３１と、ハウジング３１の開口３１２に設けられているガイドプレート３２と、ハウジング３１の内部空間３１３に配置されている検出モジュール３３と、ハウジング３１の内部空間３１３に配置されているフィルターユニット３４とを具える。
ハウジング３１は、本実施形態においては小便器本体２の排水口２１の一般の形態である円形と対応するように円柱状に形成されていて、上側に開口３１２が、そして下側に開口３１２から内部空間３１３に流入した液体を外部に流し出すための出液孔３１１が少なくとも１つ形成されている。また、ハウジング３１は、その開口３１２が小便器本体２の排水口２１と重なるように配置される。
【０００８】
ガイドプレート３２は、本実施形態においては略すり鉢型の円盤状に形成されていて、周縁がハウジング３１の開口３１２の内周縁にあてがわれるように配置されている。また、ガイドプレート３２の中央、即ちすり鉢型にやや窪んだ底部には、排水口２１から流れて来る液体（尿液）を内部空間３１３に流入させる導液孔３２１が開けられている。なお、ガイドプレート３２は外力を受けた際にハウジング３１に対して移動するように固定されずにハウジング３１に設置されるものであり、本実施形態では、図示のように、バネによってハウジング３１に連結されている。ガイドプレート３２が尿液による動圧を受けるとバネの戻り弾性に抗して僅かに下に移動する。
検出モジュール３３は、内部空間３１３に配置されていて、導液孔３２１から流入した尿液に対して、該尿液中における特定の成分の有無や濃度を検出する検出チップ３３１と、小便器１が利用されている際にガイドプレート３２が尿液による動圧を受けて変位した量を計測しその変位量に応じて検出チップ３３１の稼動を制御する制御チップ３３２と、検出チップ３３１による検出結果を無線で外部に送信する送信チップ３３３を有する。
検出チップ３３１としては、尿液中における特定の薬物及び薬物が人体で代謝された産物である薬物代謝産物を検出できるものを用いる。また、検出チップ３３１としては、薬物の他、尿糖や、通風その他の炎症を測定できる物質の検出も行えるものを用いることもできる。
【０００９】
また、図３に示されるように、検出モジュール３３は、ガイドプレート３２に配置されていてガイドプレート３２が変位する際の加速度を計測する加速度センサー３３４を更に有しても良い。この場合、制御チップ３３２は、上記変位量及び加速度に応じて、検出チップ３３１の稼動を制御する。稼動の制御の具体例については、下述の使用態様において説明する。また検出モジュール３３は、必要に応じてこれら変位量や加速度のデータを送信チップ３３３により外部に送信できるように構成することもできる。
フィルターユニット３４は、ハウジング３１の内部空間３１３において、ガイドプレート３２の導液孔３２１から流入した液体を検出チップ３３１に導く導液路３４１を画成している。また、フィルターユニット３４は、内部空間３１３において、開口３１２から導液路３４１を経て出液孔３１１まで流れる液体の流れにおける導液孔３２１よりも下流側でガイドプレート３２の導液孔３２１の周縁にあてがわれるように設置されている目皿部材３４３と、検出チップ３３１よりも下流側であって出液孔３１１よりも上流側に設置されていて尿液に対して生分解を行う生分解サブユニット３４２が設けられている。
目皿部材３４３は、本実施形態では図２に示されているように導液孔３２１の直下に配置された膜状の部材であり、尿液の跳ね返りを防ぐと共に、内部空間３１３に臭気がある際にも該臭気が導液孔３２１より外に漏れるのを防ぐことができる。
生分解サブユニット３４２は、例えば好気性微生物を含んでおり、生分解能を有する粉粒体であり、該粉粒体により出液孔３１１を覆っている。
【００１０】
以上の構成を備えた小便器１の使用態様を以下に説明する。利用者が小便器１に排尿した際には、尿液の動圧によりガイドプレート３２が押し込まれるように変位する一方、尿液がガイドプレート３２の導液孔３２１からハウジング３１の内部空間３１３に流入する。
また、検出モジュール３３の制御チップ３３２によりガイドプレート３２の変位量が所定量以上であることが検出されると、また、加速度センサー３３４が更に設けられている場合には上記変位量が所定量以上であって且つ上記加速度も所定以上であることが検出されると、制御チップ３３２は検出チップ３３１を稼動させ、且つ所定の期間稼動を続けるように制御する。
内部空間３１３に流入してフィルターユニット３４の導液路３４１を通った尿液は検出チップ３３１に接触してから、出液孔３１１を覆っている生分解サブユニット３４２を経由した後に、出液孔３１１から外部（例えば排水管）に流出する。
【００１１】
上記過程において、尿液が検出チップ３３１に接触すると、尿液中に検出対象物である特定の薬物及びその代謝産物が含まれていないかどうかが測定され、その測定結果が送信チップ３３３により無線で外部の装置に送信される。このように、小便器１が利用される度に、利用者に対する尿検査が自動的に行われ、外部からその検査結果を知ることができる。
更に、本実施形態においては、生分解サブユニット３４２を含むフィルターユニット３４が設けられているため、小便器１を、使用の度に水を流す必要が無いいわゆる無水小便器とすることができる。これにより洗浄用の水を必要としないので、節水効果がある上に、検出モジュール３３による検出精度の向上に有利となる。
以上、本考案の好ましい実施形態を説明したが、本考案はこれに限定されるものではなく、その要旨を逸脱しない範囲で種々の変更が可能である。
【産業上の利用可能性】
【００１２】
本考案に係る小便器用カートリッジは、小便器が利用される度に利用者に対する尿検査が自動的に行われ、外部からその検査結果を知ることができるので、例えば公共の場に設置されるトイレに応用すれば、特定の対象に対する薬物使用の疑いを前提とせずに尿検査を自動的に行うことができ、薬物乱用の抑制に有利となる。更に、例えば監視カメラと共に利用すれば、薬物使用者の識別を行うことも可能となる。
【符号の説明】
【００１３】
１  小便器
２  小便器本体
２１  排水口
３  小便器用カートリッジ
３１ ハウジング
３１１  出液孔
３１２  開口
３１３  内部空間
３２  ガイドプレート
３２１  導液孔
３３  検出モジュール
３３１  検出チップ
３３２  制御チップ
３３３  送信チップ
３３４  加速度センサー
３４  フィルターユニット
３４１  導液路
３４２  生分解サブユニット
３４３  目皿部材
【図１】
0003213092.tif 000003
【図２】
0003213092.tif 000004
【図３】
0003213092.tif 000005